(57)【要約】【課題】収容される三角形状食品が形状保持力の弱い食品であっても、手を汚すことなく容易に開封可能な三角形状食品包装体を提供する。【解決手段】前部より後部が拡幅した形状の第１フィルムと第２フィルムとを有する袋体に三角形状食品を収容した三角形状食品包装体であって、前記両フィルムの両側縁がシールされると共に、前記両フィルムの前部側を閉塞するシール部を有することで、前記両フィルムの後端側に開口部を備え、前記シール部の前方に、第１フィルムから一体的に延設された第１延出部と、第２フィルムから一体的に延設された第２延出部とを備え、前記第１延出部には第１摘み部が形成されており、前記第２延出部には第２摘み部が形成されており、前記第１摘み部は前記第１フィルムの後部側に、前記第２摘み部は前記第２フィルムの後部側に向けて切り裂くことにより開封する。【選択図】図７
2014210599.tif 000002
【特許請求の範囲】
【請求項１】
前部より後部が拡幅した形状の第１フィルムと第２フィルムとを有する袋体に三角形状食品を収容した三角形状食品包装体であって、
前記両フィルムの両側縁がシールされると共に、前記両フィルムの前部側を閉塞するシール部を有することで、前記両フィルムの後端側に開口部を備え、
前記シール部の前方に、第１フィルムから一体的に延設された第１延出部と、第２フィルムから一体的に延設された第２延出部とを備え、
前記第１延出部には第１摘み部が形成されており
前記第２延出部には第２摘み部が形成されており、
前記第１摘み部は前記第１フィルムの後部側に、前記第２摘み部は前記第２フィルムの後部側に向けて切り裂くことにより開封する三角形状食品包装体。
【請求項２】
前記第１延出部の前部側から後部側に向けて、シール部の幅方向に対して略垂直に延びた直線状の第１切り込みが少なくとも２本平行に形成され、前記第１切り込み間が前記第１摘み部となり、
前記第２延出部の前部側から後部側に向けて、シール部の幅方向に対して略垂直に延びた直線状の第２切り込みが少なくとも２本平行に形成され、前記第２切り込み間が前記第２摘み部となる請求項１に記載の三角形状食品包装体。
【請求項３】
少なくとも２本の前記第１切込みと、少なくとも２本の前記第２切込みとが、
三角形状食品が前記三角形状食品包装体に収容された状態おいて、前記三角形状食品の斜面と斜面とが交わる先端辺の両端近傍又は先端辺の幅内に位置する請求項２に記載の三角形状食品包装体。
【請求項４】
前記第１摘み部と前記第１フィルムとの裏面には、第１摘み部から第１フィルムにかけて開封用のカットフィルムが貼着されており、
前記第２摘み部と前記第２フィルムとの裏面には、第２摘み部から第２フィルムにかけて開封用のカットフィルムが貼着されている請求項１から請求項３のいずれかに記載の三角形状食品包装体。
【請求項５】
前記第１フィルムと前記第１フィルムから一体的に延設された前記第１延出部と、前記第２フィルムと前記第２フィルムから一体的に延設された前記第２延出部と、を構成するフィルムは、前記第１摘み部と前記第２摘み部とが切り裂かれる開裂方向に切り裂け易い方向性フィルムによって形成されている請求項１から請求項４のいずれかに記載の三角形状食品包装体。
【請求項６】
前記三角形状食品が形状保持力の弱い食品である請求項１から請求項５のいずれかに記載の三角形状食品包装体。
【発明の詳細な説明】
【技術分野】
【０００１】
本発明は、特に形状保持力が弱い三角形状食品を収容するのに適した三角形状食品包装体に関する。
【背景技術】
【０００２】
従来から三角形状食品を収容する三角形状食品包装体として、両側辺が先端に向かって幅狭となるプラスチックフィルム製の一対のシートを重ね合わせ、各シートの先端所定範囲をタブとして残した状態で、両側辺を横断する線に沿って各シート同士を接着した頂部封止部及び各シートの両側辺同士を接着した側面封止部により三方を封止した袋体を構成し、一方のシートのタブには切り込みによる引き起し片を設けた三角形状食品包装体が知られている（例えば、特許文献１）。
【０００３】
また、表層片と底層片とを有し、該両片は左側端、右側端を熱封着により一体になされ、該袋本体の上端は一つの熱封着によるシール領域を含み下端は一つの開口を形成し、食品は該開口から袋本体に収容されて袋本体の余分の長さにより密封するとともに、該袋本体の表面に切断線を設けている切断線を備えた食品包装袋であって、該切断線は横方向に袋本体の周囲表面に設けた２本の平行な脆い線により構成され、該脆い線により一つの始端部を定め、該始端部から経由して切断線を横方向に裂き開いて、上袋体を分離して食品を露出せしめる三角形状食品包装体が知られている（例えば、特許文献２）。
【先行技術文献】
【特許文献】
【０００４】
【特許文献１】実用新案登録第３０９１３２２号公報
【特許文献２】実用新案登録第３１０００７３号公報
【発明の概要】
【発明が解決しようとする課題】
【０００５】
このような従来の三角形状食品包装体は、サンドイッチ等のように比較的形状保持力が強い三角形状食品を収容することを前提としたものであった。
【０００６】
しかしながら、例えば、チーズケーキ、フロマージュ、クレープ、スポンジケーキ、ティラミス等の形状保持力の弱い三角形状食品を、例えば、特許文献１に開示された三角形状食品包装体に収容して開封した場合、三角形状食品の一辺の斜面の一部のみが露出されるだけとなるため、上述したような形状保持力の弱い三角形状食品を取り出そうとすれば、手で三角形状食品を摘まんで取り出すか、フィルムを無理やり切り裂く等しなければならず、三角形状食品の形状が崩れてしまう。さらに、食品の表面にクリーム、チーズ、チョコレート、ジャム、ムース等がコーティングされている三角形状食品が収容されている場合、取り出す際手が汚れてしまう。
【０００７】
また、例えば、特許文献２に開示された三角形状食品包装体に形状保持力の弱い三角形状食品を収容して開封した場合、三角形状食品の上部のみは露出するので、食することが可能であるが、下部の方は、底面側から無理やり押し出すか、あるいは、手で摘まんで取り出すしかなく、上述した三角形状食品包装体と同様に、三角形状食品の形状が崩れたり、取り出す際手が汚れてしまう。
【０００８】
本発明は上記課題に鑑みてなされたものであって、その目的とするところは、たとえ、収容される三角形状食品が形状保持力の弱い食品であっても、手を汚すことなく容易に開封可能な三角形状食品包装体を提供することにある。
【課題を解決するための手段】
【０００９】
前記した目的を達成するために、本発明に係る三角形状食品包装体は、前部より後部が拡幅した形状の第１フィルムと第２フィルムとを有する袋体に三角形状食品を収容した三角形状食品包装体であって、前記両フィルムの両側縁がシールされると共に、前記両フィルムの前部側を閉塞するシール部を有することで、前記両フィルムの後端側に開口部を備え、前記シール部の前方に、第１フィルムから一体的に延設された第１延出部と、第２フィルムから一体的に延設された第２延出部とを備え、前記第１延出部には第１摘み部が形成されており、前記第２延出部には第２摘み部が形成されており、前記第１摘み部は前記第１フィルムの後部側に、前記第２摘み部は前記第２フィルムの後部側に向けて切り裂くことにより開封する。
【００１０】
また、前記第１延出部の前部側から後部側に向けて、シール部の幅方向に対して略垂直に延びた直線状の第１切り込みが少なくとも２本平行に形成され、前記第１切り込み間が前記第１摘み部となり、前記第２延出部の前部側から後部側に向けて、シール部の幅方向に対して略垂直に延びた直線状の第２切り込みが少なくとも２本平行に形成され、前記第２切り込み間が前記第２摘み部とすることができる。
【００１１】
また、少なくとも２本の前記第１切込みと、少なくとも２本の前記第２切込みとが、三角形状食品が前記三角形状食品包装体に収容された状態おいて、前記三角形状食品の斜面と斜面とが交わる先端辺の両端近傍又は先端辺の幅内に位置することができる。
【００１２】
また、前記第１摘み部と前記第１フィルムとの裏面には、第１摘み部から第１フィルムにかけて開封用のカットフィルムが貼着されており、前記第２摘み部と前記第２フィルムとの裏面には、第２摘み部から第２フィルムにかけて開封用のカットフィルムが貼着することができる。
【００１３】
また、前記第１フィルムと前記第１フィルムから一体的に延設された前記第１延出部と、前記第２フィルムと前記第２フィルムから一体的に延設された前記第２延出部と、を構成するフィルムは、前記第１摘み部と前記第２摘み部とが切り裂かれる開裂方向に切り裂け易い方向性フィルムによって形成することができる。
【００１４】
また、前記三角形状食品を、例えば、チーズケーキ、フロマージュ、クレープ、スポンジケーキ、ティラミス等の形状保持力の弱い食品とすることができる。
【発明の効果】
【００１５】
このように、本発明に係る三角形状食品包装体によれば、収容される三角形状食品が、たとえ形状保持力の弱い食品であっても、手を汚すことなく容易に開封可能となる。
【図面の簡単な説明】
【００１６】
【図１】本発明の第１実施形態に係る三角形状食品包装体の正面図である。
【図２】本発明の第１実施形態に係る三角形状食品包装体の背面図である。
【図３】本発明の第１実施形態に係る三角形状食品包装体に三角形状食品を収容した状態の斜視図である。
【図４】摘み部の別形態を示す一部拡大図である。
【図５】延出部の別形態を示す一部拡大図である。
【図６】本発明の第１実施形態に係る三角形状食品包装体に三角形状食品を収容する工程を示す説明図である。
【図７】本発明の第１実施形態に係る三角形状食品包装体の開封工程を示す説明図である。
【図８】本発明の第２実施形態に係る三角形状食品包装体の正面図である。
【図９】本発明の第２実施形態に係る三角形状食品包装体の背面図である。
【図１０】本発明の第２実施形態に係る三角形状食品包装体の開封工程を示す説明図である。
【発明を実施するための形態】
【００１７】
以下、本発明に係る実施形態を図面に従って説明するが、本発明はこの実施形態に限定されるものではない。
【００１８】
〔第１実施形態について〕
図１は、本発明の第１実施形態に係る三角形状食品包装体（以下「包装体」という。）の正面図である。図２は、本発明の第１実施形態に係る包装体の背面図である。なお、本明細書において、説明の便宜上図１及び図２において上側を前側とし、図１及び図２において下側を後側とする。
【００１９】
本実施形態に係る包装体は、第１フィルム１と、第１フィルム１から一体的に延設される第１延出部１１と、第２フィルム２と、第２フィルム２から一体的に延設される第２延出部２１とを有し、第１延出部１１には第１摘み部１２が形成され、第２延出部２１には第２摘み部２２が形成されている。第１摘み部１２と第１フィルム１との裏面に、第１摘み部１２から第１フィルム１にかけて開封用のカットフィルム６が貼着されている。第２摘み部２２と第２フィルム２との裏面に、第２摘み部２２から第２フィルム２にかけて開封用のカットフィルム６が貼着されている。
【００２０】
本実施形態に係る包装体の第１フィルム１と第１フィルム１から一体的に延設された第１延出部１１と、第２フィルム２と第２フィルム２から一体的に延設された第２延出部２１とを構成するフィルムは、ポリエチレンフィルム、ポリプロピレンフィルム、ポリエチレンテレフタラートフィルム等のこの種の包装体に使用される合成樹脂フィルムであればどのようなフィルムであってもよい。
【００２１】
図１及び図２に示すように、前部より後部が拡幅した形状の第１フィルム１と第２フィルム２とが袋体を形成している。具体的には、第１フィルム１と第２フィルム２は、上底(前側の辺)が下底（後側の辺）よりも短い略等脚台形状のフィルムで、第１フィルム１と第２フィルム２との左右の側縁（略等脚台形状のそれぞれの台形の脚）がシールされると共に、両フィルム（１，２）の前部側（略等脚台形の上底側）を閉塞するシール部４を有することで、両フィルム（１，２）の後端側（略等脚台形の下底側）に開口部５を備えた袋体である。
【００２２】
図１及び図２に示すように、両フィルム（１，２）は、両フィルム（１，２）の後部側の両端の角部を切り欠いて６角形状とすることが好ましい。具体的には、第１フィルム１は、図１に示すように、シール部４より左回りに、シール部４、左側縁３２、左側下縁３３、第１開口縁５１、右側下縁３１、右側縁３０の６辺からなる６角形状である。第２フィルム２は、図２に示すように、シール部４より左回りに、シール部４、右側縁３０、右側下縁３１、第２開口縁５２、左側下縁３３、左側縁３２の６辺からなる６角形状である。両フィルム（１，２）がこのような形状であれば、包装体の開口側の余剰分を、包装体に挿入した三角形状食品７の底面７３に向かって折畳んでラベル８等によって封止する際、折り畳み部分が嵩張らない。
【００２３】
両フィルム（１，２）の大きさ又は形状は、収容する内容物によって適宜の大きさ又は適宜の形状に形成される。例えば、両フィルム（１，２）の前後方向の長さは、収容される三角形状食品７の全長よりも、収容する際折り畳むための折畳み余剰分だけ長く形成されている。折畳み余剰分の長さは、包装体に挿入した三角形状食品７の底面７３を覆うように折り畳むことが可能であって、折り畳んだ際嵩張らない適宜の長さを有すればよい。両フィルム（１，２）のシール部４の幅方向の長さ（略等脚台形の上底の長さ）は、収容する三角形状食品７の斜面７２と斜面７２が交わる先端辺７４の長さよりも、折り込み余剰分だけ長く形成されている。折り込み余剰分の長さは、両フィルム（１，２）からなる袋体を立体状にして三角形状食品７を挿入する際、容易に挿入できるスペースを形成すると共に、折り込んで体裁よく封じることが可能な適宜の長さを有すればよい。
【００２４】
第１延出部１１は、シール部４の前方に第１フィルム１から一体的に延設されており、第２延出部２１は、シール部４の前方に第２フィルム２から一体的に延設されている。
【００２５】
第１延出部１１と第２延出部２１とは、同一の矩形状に形成され、それぞれ対向しており、両側縁がシールされている。
【００２６】
第１延出部１１には、矩形形状の第１延出部１１の前部側から後部側に向けて、幅方向に対して略垂直に延びた直線状の第１切込み１５が少なくとも２本平行に形成され、第１切込み１５間に形成された遊離片が第１摘み部１２となる。
【００２７】
本実施形態に係る包装体の第１延出部１１には、第１延出部１１の前端から２本の第１切込み１５がシール部４の近傍まで形成され、その両第１切込み１５間が第１摘み部１２となっている。第１延出部１１における、それぞれの第１切込み１５の外側にはそれぞれ第１右遊離片１３と第１左遊離片１４とが形成される。
【００２８】
第２延出部２１には、矩形形状の第２延出部２１の前部側から後部側に向けてシール部４の幅方向に対して略垂直に延びた直線状の第２切込み２５が少なくとも２本平行に形成され、第２切込み２５間に形成された遊離片が第２摘み部２２となる。
【００２９】
本実施形態に係る包装体の第２延出部２１には、第２延出部２１の前端から２本の第２切込み２５がシール部４の近傍まで形成され、その両第２切込み２５間が第２摘み部２２となっている。第２延出部２１における、それぞれの第２切込み２５の外側にはそれぞれ第２右遊離片２３と第２左遊離片２４とが形成される。
【００３０】
また、図４に示すように、第１延出部１１及び第２延出部２１に形成される２本の第１切込み１５及び２本の第２切込み２５を、第１延出部１１及び第２延出部２１の前端部から形成する構成とせず、コの字状の切込みを形成することで、２本の平行する第１切込み１５と第２切込み２５とを形成する構成とすることもできる。なお、図４において、コの字状の切込みをＵ字状としてもよいし、切込みをシール部４に当接させず、シール部４の近傍まで形成させる構成としてもよい。
【００３１】
上述したように、第１延出部１１と第２延出部２１の側縁がシールされているため、第１右遊離片１３と第２右遊離片２３とは外側縁にて連接されている。同様に、第１左遊離片１４と第２左遊離片２４とは外側縁にて連接されている。なお、第１延出部１１と第２延出部２１の側縁がシールされていない構成とすることもできる。その場合は、第１右遊離片１３と第２右遊離片２３、及び第１左遊離片１４と第２左遊離片２４はそれぞれ連接されていない構成となる。
【００３２】
また、三角形状食品７が包装体に収容された状態において、少なくとも２本の第１切込み１５と、少なくとも２本の第２切込み２５とが、三角形状食品７の斜面７２と斜面７２とが交わる先端辺７４の両端近傍又は先端辺７４の幅内に位置することが好ましい。このような位置に第１切込み１５及び第２切込み２５が存在することで、包装体に三角形状食品７を収容する際、折り込み余剰分だけ第１延出部１１と第２延出部２１も折り込まれることとなるが、その折り込まれた箇所に第１切込み１５及び第２切込み２５が位置することなく、容易に開封できる。また、第１切込み１５及び第２切込み２５が、先端辺７４の両端近傍に位置することとすれば、第１摘み片及び第２摘み片の幅が、三角形状食品７の斜面７２の短手方向長さと略同一となり、容易かつ体裁良く開封できる。
【００３３】
図３は本実施形態の包装体に三角形状食品７を収容した状態を示す斜視図である。図３に示すように、本実施形態の包装体の第１延出部１１に形成される２本の第１切込み１５は、三角形状食品７の先端辺７４の両端よりも僅かに内側寄りの位置にそれぞれ位置するように設けられている。同様に、第２延出部２１に形成される２本の第２切込み２５は、三角形状食品７の先端辺７４の両端よりも僅かに内側寄りの位置にそれぞれ位置するように設けられている。また、２本の第１切込み１５と、２本の第２切込み２５とは、それぞれ対向する位置に設けられている。
【００３４】
さらに、図５に示すように、第１延出部１１と第２延出部２１の前後方向の長さ（第１及び第２延出部（１１，２１））の前端からシール部４までの長さ）を異なる構成とすることもできる。このような構成とすれば、第１摘み部１２と第２摘み部２２との前後方向の長さが異なるため、いずれか一方の摘み部（１２，２２）を容易に摘まむことが可能となる。
【００３５】
開封用のカットフィルム６は、第１摘み部１２と第１フィルム１との裏面に、第１摘み部１２から第１フィルム１にかけて貼着されていると共に、第２摘み部２２と第２フィルム２との裏面に、第２摘み部２２から第２フィルム２にかけて貼着されている。
【００３６】
包装体を開封する際、カットフィルム６に案内されて第１フィルム１と第２フィルム２とが切り裂かれる。そのため、カットフィルム６は、収容される三角形状食品７の形状や、切り裂きたい範囲によって、適宜の幅と長さを有する帯状のカットフィルム６を使用することができる。
【００３７】
カットフィルム６の幅は、摘み部（１２，２２）の幅（切込み間の幅）よりも僅かに短い長さであることが好ましい。ただし、ある程度の幅広（例えば、１０ｍｍ〜１５ｍｍ程度）のカットフィルム６であれば、たとえ、摘み部（１２，２２）の幅よりも僅かに短い長さの幅に形成されたカットフィルム６でなくても良い。
【００３８】
また、カットフィルム６の長さは、包装体に三角形状食品７を収容したとき、カットフィルム６の後端が三角形状食品７の底面７３側近傍に位置する長さであることが好ましい。
【００３９】
本実施形態のカットフィルム６は、図１及び図２に示すように、互いに対向する位置に設けられているが、例えば、左右にずらした位置に設けることもできる。その際、切込み（１５，２５）位置は対向する位置に形成せず、左右にずらした位置に形成しておくとよい。
【００４０】
カットフィルム６は、この種の包装体に使用されている種々の合成樹脂等からなるカットフィルム６を使用することができる。包装体に使用されるフィルムと共に、カットフィルム６も透明なフィルムを使用すれば、三角形状食品７を包装体に収容した際に、体裁がよく、需要者に高級感のある印象を与えることができる。
【００４１】
以下に、本実施形態の包装体に三角形状食品７を収容する工程の一例を図６（ａ）から（ｄ）を参照しながら説明する。なお、説明の便宜上、二等辺三角柱形状の三角形状食品７を収容する工程について説明をするが、本発明の包装体に収容される三角形状食品７は、二等辺三角柱形状の三角形状食品７に限られず、種々の形状の三角形状食品７を収容することができる。
【００４２】
この説明に使用する二等辺三角柱形状の三角形状食品７の各部位は、図６（ａ）に示すように、対抗する二等辺三角形状面を三角面７１といい、対向する二等辺三角形状面のそれぞれの斜辺どうしを繋ぐ面を斜面７２といい、対向する二等辺三角形状面の底辺どうしを繋ぐ面を底面７３といい、斜面７２と斜面７２とが交わる辺を先端辺７４という。
【００４３】
まず、図６（ａ）に示すように、三角形状食品７が挿入可能となるように包装体の第１フィルム１と第２フィルム２とからなる袋体の開口部５を開口する。次に、図６（ｂ）に示すように、三角形状食品７を、先端辺７４がシール部４の幅方向と対向する向きにして前方に挿入すると共に、包装体の左側縁３２側の三角形状食品７の三角面７１の垂線と、左側縁３２とを沿わせるように適宜の位置まで挿入する。次に、図６（ｃ）に示すように、包装体の右側縁３０側の折り込み余剰分を引っ張りながら、その折り込み余剰分を折って粘着テープなどの接続部材を用いて固定する。最後に、図６（ｄ）に示すように、折り畳み余剰分を底面７３が覆うように折り畳み、ラベル８８等によって封止する。なお、上記工程は三角形状食品７の三角面７１に垂線と左側縁３２とを沿わせて収容する方法を説明したが、三角面７１の垂線と右側縁３０とを沿わせて収容してもよい。
【００４４】
次に、本実施形態の包装体の開封工程について図７を参照しながら説明する。
【００４５】
図７（ａ）に示すように、まず、第１摘み部１２を第１フィルム１の後部側に、第２摘み部２２は第２フィルム２の後部側に向けて切り裂き、三角形状食品７の先端線近傍を露出させる。このとき、摘み部はカットフィルム６に案内されて切り裂かれる。次に、第１摘み部１２と第２摘み部２２の両側に設けられた、第１右遊離片１３と第２右遊離片２３とを後部側に向けて引っ張ると共に、第１左遊離片１４と第２左遊離片２４も後部側に向けて引っ張ることで、包装体から露出した分だけ食することができる。そして、包装体から露出した分だけ食した後、図７（ｂ）に示すように、さらに、第１摘み部１２を第１フィルム１の後部側に、第２摘み部２２は第２フィルム２の後部側に向けて切り裂き、三角形状食品７を適宜露出させ、先程と同様に、第１摘み部１２と第２摘み部２２の両側に設けられた、第１右遊離片１３と第２右遊離片２３とを後部側に向けて引っ張ると共に、第１左遊離片１４と第２左遊離片２４も後部側に向けて引っ張ることで、包装体から三角形状食品７を適宜露出させ食することができる。この工程を複数回行うことで包装体に収容された三角形状食品７を前方から後方に向けて徐々に露出させながら食することができる。
【００４６】
本実施形態に係る包装体によれば、たとえ形状保持力の弱い三角形状食品７（例えば、チーズケーキ、フロマージュ、クレープ、スポンジケーキ、ティラミス等）であっても、フィルムによって形状を保持しつつ、食する分だけ徐々に露出させながら、最後まで三角形状食品７自体に触れることなく体裁良く食することが可能となる。
【００４７】
さらに、本実施形態に係る包装体に収容される三角形状食品７を、皿等に移し替えて食する場合であっても、三角形状食品７を押し出したり、摘みだしたりして取り出す必要がないため、形状保持力の弱い三角形状食品７であっても、その形状を崩すことなく、皿に移し替えることができる。また、収容される三角形状食品７が包装体に残ることなく体裁よく取り出すことができる。
【００４８】
〔第２実施形態について〕
本発明の第２実施形態に係る包装体は、基本的な構成は第１実施形態と同様であるため、異なる部分についてのみ説明する。
【００４９】
本実施形態に係る包装体は、図８及び図９に示すように、カットフィルム６を使用していない。
【００５０】
本実施形態に係る包装体の第１フィルム１と第１フィルム１から一体的に延設された第１延出部１１と、第２フィルム２と第２フィルム２から一体的に延設された第２延出部２１とを構成するフィルムは、第１摘み部１２と第２摘み部２２とが切り裂かれる開裂方向に切り裂け易い方向性フィルムによって形成されている。具体的なフィルムとして、直線カット性を有するフィルム、例えば、一軸延伸ポリプロピレン、一軸延伸高密度ポリエチレン、一軸延伸ポリエチレンテレフタラート等のフィルムを使用することが好ましい。
【００５１】
これにより、図１０（ａ）（ｂ）に示すように、第１摘み部１２を第１フィルム１の後部側に向けて引っ張ることにより、少なくとも２本の第１切込み１５に案内されて、第１切込み１５間の幅を維持しながら開封することができる。また、第２摘み部２２も同様に、第２フィルム２の後部側に向けて引っ張ることにより、少なくとも２本の第２切込み２５に案内されて、第２切込み２５間の幅を維持しながら開封することができる。
【００５２】
なお、基本的な開封工程は第１実施形態と同様であるため、詳細な説明は省略する。
【００５３】
以上のとおり、図面を参照しながら本発明の好適な実施形態を説明したが、本発明の趣旨を逸脱しない範囲で、種々の追加、変更または削除が可能である。したがって、そのようなものも本発明範囲内に含まれる。
【符号の説明】
【００５４】
１    第１フィルム
１１  第１延出部
１２  第１摘み部
１３  第１右遊離片
１４  第１左遊離片
１５  第１切込み
２    第２フィルム
２１  第２延出部
２２  第２摘み部
２３  第２右遊離片
２４  第２左遊離片
２５  第２切込み
３０  右側縁
３１  右側下縁
３２  左側縁
３３  左側下縁
４    シール部
５    開口部
５１  第１開口縁
５２  第２開口縁
６    カットフィルム
７    三角形状食品
７１  三角面
７２  斜面
７３  底面
７４  先端辺
８    ラベル
【図１】
2014210599.tif 000003
【図２】
2014210599.tif 000004
【図３】
2014210599.tif 000005
【図４】
2014210599.tif 000006
【図５】
2014210599.tif 000007
【図６】
2014210599.tif 000008
【図７】
2014210599.tif 000009
【図８】
2014210599.tif 000010
【図９】
2014210599.tif 000011
【図１０】
2014210599.tif 000012